(57)【要約】【課題】  印画紙を印画紙格納部から露光操作部に向けて搬送する搬送機構を駆動ローラと圧着ローラとで構成し、圧着ローラを支持する揺動ブラケットを圧着ローラが駆動ローラに押付けられた圧着姿勢と、駆動ローラから離れた圧着解除姿勢とで切り換え可能とし、揺動ブラケットを圧着姿勢に固定するロック機構がある写真プリンタにおいて、揺動ブラケットを圧着姿勢に固定するロック操作やロック解除操作を簡単に実施可能にする。【解決手段】  ロック機構は、揺動ブラケット３５の遊端付近で印画紙Ｐの幅方向両端に配置された第２軸芯Ｘ２周りで揺動可能な一対のアーム部材３７と、各アーム部材の遊端付近に設けたフック部３７ａを係止するべく写真プリンタ本体に設けた一対の係止部材４０とを有し、一対のアーム部材３７の双方と一体揺動する摘み部３７Ｇを設けた。【選択図】        図５
2005219915.tif 000002
【特許請求の範囲】
【請求項１】
印画紙格納部から送り出された印画紙を露光操作部に向けて搬送する搬送機構を備え、前記搬送機構は駆動装置によって駆動される駆動ローラと、印画紙を前記駆動ローラに押付け可能な圧着ローラとを有し、前記圧着ローラは第１軸芯周りで揺動可能な揺動ブラケットに支持され、前記揺動ブラケットは、前記圧着ローラが前記駆動ローラに押付けられた圧着姿勢と、前記圧着ローラが前記駆動ローラから引き離された圧着解除姿勢との間で切り換え可能に設けられており、且つ、前記揺動ブラケットを前記圧着姿勢に固定するロック機構が設けられている写真プリンタであって、
前記ロック機構は、前記揺動ブラケットの遊端付近で且つ印画紙の幅方向の両端に配置された第２軸芯周りで揺動可能に設けられた一対のアーム部材と、前記各アーム部材の遊端付近に設けられたフック部を係止するべく写真プリンタの本体に設けられた一対の係止部材とを有し、さらに、前記一対のアーム部材の双方と一体的に揺動する摘み部が設けられている写真プリンタ。
【請求項２】
前記摘み部と対向する補助摘み部が前記揺動ブラケットと一体的に設けられている請求項１に記載の写真プリンタ。
【請求項３】
前記アーム部材を前記フック部が前記係止部材と係止する方向に付勢する付勢部材が設けられており、且つ、前記フック部は前記係止部材を受け入れる切り欠き部を有し、前記切り欠き部よりも径方向外側には、前記揺動ブラケットを前記係止部材に向けて近接させる操作に応じて、前記係止部材との接当に基づいて前記アーム部材を前記付勢部材による付勢方向と逆方向に揺動操作する傾斜面が設けられており、前記係止部材は前記傾斜面を乗り越えることによって、最終的に前記切り欠き部に進入するように構成されている請求項１または２に記載の写真プリンタ。
【請求項４】
前記第１軸芯から前記フック部までの距離が前記第１軸芯から前記圧着ローラまでの距離を上回るように構成されている請求項１から３のいずれか一項に記載の写真プリンタ。
【請求項５】
前記駆動ローラおよび前記圧着ローラを印画紙の幅方向の側面から包囲する側板が設けられており、前記アーム部材が前記フック部を前記係止部材に係止させた係止姿勢にあることを確認するための確認窓が前記側板に形成されている請求項１から４のいずれか一項に記載の写真プリンタ。
【請求項６】
前記搬送機構は写真プリンタの本体にスライドレールを介して支持された露光前搬送ユニットを構成しており、且つ、前記露光前搬送ユニットは前記写真プリンタの本体から前記スライドレールに沿って出し入れ可能に設けられており、前記フック部が前記係止部材から係止解除された係止解除姿勢において前記揺動ブラケットが自重に基づいて取るフリー姿勢では、前記揺動ブラケットまたは前記アーム部材の一部が前記写真プリンタの本体の一部と接当することで、前記露光前搬送ユニットの出し入れを規制するように構成されている請求項１から５のいずれか一項に記載の写真プリンタ。
【発明の詳細な説明】
【技術分野】
【０００１】
本発明は、印画紙格納部から送り出された印画紙を露光操作部に向けて搬送する搬送機構を備え、前記搬送機構は駆動装置によって駆動される駆動ローラと、印画紙を前記駆動ローラに押付け可能な圧着ローラとを有し、前記圧着ローラは第１軸芯周りで揺動可能な揺動ブラケットに支持され、前記揺動ブラケットは、前記圧着ローラが前記駆動ローラに押付けられた圧着姿勢と、前記圧着ローラが前記駆動ローラから引き離された圧着解除姿勢との間で切り換え可能に設けられており、且つ、前記揺動ブラケットを前記圧着姿勢に固定するロック機構が設けられている写真プリンタに関する。
【背景技術】
【０００２】
この種の写真プリンタとしては、本発明に関連する先行技術文献情報として下記に示す特許文献１がある。この特許文献１に記された写真プリンタでは、圧着ローラが支持部（第１軸芯）を中心として回動することによって、アドバンスローラ（駆動ローラ）に対して着脱可能に構成されており、圧着ローラを完全に取り外す必要がないので、圧着ローラの奥側の端部に設けた舌片部を写真プリンタの本体側の孔部に差し込むなどの作業が不要であり、また、取り外した部品の置き場所等を考慮することなく、ペーパ詰り時などのメンテナンスを容易に行うことができる、と記されている。
【特許文献１】特開２００１−７５１８６号公報（段落番号００２０、００４６、図４）
【発明の開示】
【発明が解決しようとする課題】
【０００３】
しかし、特許文献１の写真プリンタでは、圧着ローラを駆動ローラに対して圧着された状態に固定するロック機構として、パチン錠を用いているために、圧着ローラを駆動ローラから引き離して紙詰りを解消する作業や紙詰り解消後に圧着ローラを再び圧着姿勢に固定する作業が煩雑であった。これは、パチン錠によるロックを実施する際には、先ずパチン錠の揺動リングの先端側を圧着ローラに設けた被係止部に引っ掛け、次に、揺動リングの基端側を枢支しているレバーを押し下げるという一連の作業を、空いている方の手で圧着ローラを駆動ローラに押付けながら行う必要があるためである。さらに、駆動ローラに対する印画紙の圧着力を印画紙の幅方向の全長にわたってほぼ均等にするためには、当然にパチン錠を圧着ローラの手前側の端部と奥側の端部との２箇所に設ける必要があり、この場合、圧着ローラを一方の手で支えたまま、他方の手で両方のパチン錠を一つずつ順にロック操作する必要があり、特に煩雑であった。
【０００４】
したがって、本発明の目的は、上に例示した従来技術による写真プリンタの持つ前述した欠点に鑑み、圧着ローラを駆動ローラに対して圧着された状態に固定するロック操作やロック解除操作をより簡単に実施できる写真プリンタを提供することにある。
【課題を解決するための手段】
【０００５】
上記の目的を達成するために、本発明の第１の特徴構成は、
印画紙格納部から送り出された印画紙を露光操作部に向けて搬送する搬送機構を備え、前記搬送機構は駆動装置によって駆動される駆動ローラと、印画紙を前記駆動ローラに押付け可能な圧着ローラとを有し、前記圧着ローラは第１軸芯周りで揺動可能な揺動ブラケットに支持され、前記揺動ブラケットは、前記圧着ローラが前記駆動ローラに押付けられた圧着姿勢と、前記圧着ローラが前記駆動ローラから引き離された圧着解除姿勢との間で切り換え可能に設けられており、且つ、前記揺動ブラケットを前記圧着姿勢に固定するロック機構が設けられている写真プリンタであって、
前記ロック機構は、前記揺動ブラケットの遊端付近で且つ印画紙の幅方向の両端に配置された第２軸芯周りで揺動可能に設けられた一対のアーム部材と、前記各アーム部材の遊端付近に設けられたフック部を係止するべく写真プリンタの本体に設けられた一対の係止部材とを有し、さらに、前記一対のアーム部材の双方と一体的に揺動する摘み部が設けられている点にある。
【０００６】
したがって、本発明の第１の特徴構成を備えた写真プリンタでは、圧着ローラが駆動ローラに押付けれた圧着姿勢に揺動ブラケットがロック機構によって固定されている状態から、圧着ローラが駆動ローラから離間した状態に切り替えたい時には、オペレータは例えば一方の手で摘み部を摘んでこれを揺動操作すれば一対のアーム部材が同時に揺動操作されて、フック部が係止部材から係止解除されるので、そのまま前述の一方の手を例えば下方向きに移動させれば、揺動ブラケットが第１軸芯周りで揺動操作され、圧着ローラが駆動ローラから離間した状態が得られる。また、逆に、圧着ローラが駆動ローラから離間した状態から、圧着ローラが駆動ローラに押付けれた圧着姿勢に揺動ブラケットがロック機構によって固定されている状態に切り替えたい時には、摘み部を一方の手で摘んで揺動ブラケットを第１軸芯周りで例えば上方向きに揺動操作し、フック部が係止部材に近付いた時に摘み部を揺動操作すれば、フック部が係止部材に係止され、揺動ブラケットがロック機構によって固定された状態となる。従って、本発明の第１の特徴構成を備えた写真プリンタでは、圧着ローラが駆動ローラに押付けれた圧着姿勢に揺動ブラケットがロック機構によって固定されている状態から、圧着ローラが駆動ローラから離間した状態に切り替える作業やその逆の作業が、一方の手による簡単な操作で確実に実施することができる。
【０００７】
さらに、前記摘み部と対向する補助摘み部が前記揺動ブラケットと一体的に設けられている構成とすることができる。
このように構成すれば、摘み部と補助摘み部とに一方の手の親指と他の指とを当てて親指を他の指に近付けるように押さえ付けたり、力を緩めたりすることで、いわゆる事務用クリップなどを開け閉めする要領で、一対のアーム部材を同時に揺動操作できる。従って、圧着ローラが駆動ローラに押付けれた圧着姿勢に揺動ブラケットがロック機構によって固定されている状態から、圧着ローラが駆動ローラから離間した状態に切り替える作業やその逆の作業がより簡単にできる。
【０００８】
特に、前記アーム部材を前記フック部が前記係止部材と係止する方向に付勢する付勢部材が設けられており、且つ、前記フック部は前記係止部材を受け入れる切り欠き部を有し、前記切り欠き部よりも径方向外側には、前記揺動ブラケットを前記係止部材に向けて近接させる操作に応じて、前記係止部材との接当に基づいて前記アーム部材を前記付勢部材による付勢方向と逆方向に揺動操作する傾斜面が設けられており、前記係止部材は前記傾斜面を乗り越えることによって、最終的に前記切り欠き部に進入する構成とすることができる。
【０００９】
このような構成にすれば、揺動ブラケットを圧着解除姿勢から圧着姿勢に切り換えようとする時には、揺動ブラケットの裏面の任意の箇所を手で持って揺動ブラケットを上方に押し上げれば、先ず、フック部の傾斜面が係止部材に接当し、次に、アーム部材は傾斜面の係止部材に対する摺動移動に基づいて、付勢部材による付勢方向と逆方向に揺動操作され、遂に係止部材が傾斜面を乗り越えた時に、自動的に係止部材はフック部の切り欠き部に進入して、圧着姿勢への切り換えが完了する。従って、摘み部と補助摘み部を握って近付ける操作を行うまでもなく、手で揺動ブラケットを押し上げるという非常に簡単な操作で揺動ブラケットを圧着姿勢に切り換えることができる。圧着姿勢への切り換え操作の完了は、付勢部材の付勢力によってフック部の切り欠き部が係止部材に衝突する際に発される音によっても確認できる。
【００１０】
特に、前記第１軸芯から前記フック部までの距離が前記第１軸芯から前記圧着ローラまでの距離を上回るように構成することができる。
【００１１】
このように構成すれば、圧着ローラが強い圧着力で駆動ローラに圧着された状態で固定されるように構成されている場合でも、第１軸芯からフック部までの距離が第１軸芯から前記圧着ローラまでの距離よりも長いために、オペレータがフック部を係止させる際に必要な力が小さくて済む。
【００１２】
また、前記駆動ローラおよび前記圧着ローラを印画紙の幅方向の側面から包囲する側板が設けられており、前記アーム部材が前記フック部を前記係止部材に係止させた係止姿勢にあることを確認するための確認窓が前記側板に形成されている構成とすることができる。
【００１３】
このように構成すれば、アーム部材がフック部による係止姿勢にあり、したがって、圧着ローラが正常に駆動ローラに圧着された状態で固定されていることを、オペレータが視覚的に確認でき、より安心して写真プリンタをリスタートできる。
【００１４】
さらに、前記搬送機構は写真プリンタの本体にスライドレールを介して支持された露光前搬送ユニットを構成しており、且つ、前記露光前搬送ユニットは前記写真プリンタの本体から前記スライドレールに沿って出し入れ可能に設けられており、前記フック部が前記係止部材から係止解除された係止解除姿勢において前記揺動ブラケットが自重に基づいて取るフリー姿勢では、前記揺動ブラケットまたは前記アーム部材の一部が前記写真プリンタの本体の一部と接当することで、前記露光前搬送ユニットの出し入れを規制するように構成することができる。
【００１５】
このように構成すれば、圧着ローラが正常に駆動ローラに圧着され、アーム部材がフック部による係止姿勢にない非固定状態であれば、揺動ブラケットまたはアーム部材の一部が本体のフレーム部材と接当することで、露光前搬送ユニットを本体内に収納することができないため、結果として、前記非固定状態であることをオペレータに告知することになる。すなわち、圧着ローラが正常に駆動ローラに圧着され、アーム部材がフック部による係止姿勢にない非固定状態であれば、揺動ブラケットまたは前記アーム部材の一部が前記写真プリンタの本体のフレーム部材と必ず接当するという構成は、圧着ローラが正常に駆動ローラに圧着されていない状態で露光前搬送ユニットを初期位置に戻してしまう「うっかりミス」を未然に防止することのできるフェールセーフ機構として働く。
【００１６】
本発明によるその他の特徴および利点は、以下図面を用いた実施形態の説明により明らかになるであろう。
【発明を実施するための最良の形態】
【００１７】
本発明による写真処理装置について図面を参照しながら解説する。
図１は本発明による写真処理装置を含み、デジタルミニラボとも称せられる写真処理システムの外観図である。この写真処理システムは、印画紙Ｐに対して露光処理と現像処理とを行うプリントステーション１Ｂ（写真処理装置の一例）と、現像済み写真フィルム２ａやデジタルカメラ用メモリカード２ｂなどの画像入力メディアから取り込んだ撮影画像を処理してプリントステーション１Ｂで使用されるプリントデータの生成・転送などを行う操作ステーション１Ａとから構成されている。
【００１８】
操作ステーション１Ａのデスク状コンソールの上部位置には、写真フィルム２ａの撮影画像コマから撮影画像データ（以下単に画像データと略称する）を取得するフィルムスキャナ２０が配置されており、デジタルカメラ等に装着される撮影画像記録媒体２ｂとして用いられている各種半導体メモリやＣＤ−Ｒなどから画像データを取得するメディアリーダ２１が、この写真プリント装置のコントローラ３として機能する汎用パソコンに組み込まれている。この汎用パソコンには、各種情報を表示するモニタ２３、並びに、各種設定や調整を行う際に用いる操作入力部として利用される操作入力デバイスとしてのキーボード２４やマウス２５も接続されている。
【００１９】
図２に示すように、プリントステーション１Ｂは、印画紙に露光処理を施すプリンタ部４（露光操作部の一例）と露光処理済みの印画紙を現像処理するプロセッサ部５とからなる。プリンタ部４とプロセッサ部５とは必要に応じて互いに分離できるように構成されているが、印画紙を処理する際など通常はプリンタ部４とプロセッサ部５とは互いに一体的に連結されている。
プリンタ部４では、２つの印画紙マガジン１１（印画紙格納部の一例）に納めた印画紙Ｐのロールのいずれか一方から印画紙Ｐを引き出してシートカッタ１２でプリントサイズに切断し、このように切断された印画紙Ｐに対し、バックプリント部１３で色補正情報やコマ番号などのプリント処理情報を印画紙Ｐの基材側の面に印字し、プリント露光部１４で印画紙Ｐの乳剤面に撮影画像の露光を行い、プロセッサ部５に向けて搬送する。プリンタ部４のプリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。
プロセッサ部５では、この露光後の印画紙Ｐを複数の現像処理槽を有した処理槽ユニット１５に送り込んで現像処理し、乾燥処理を施す。プロセッサ部５の処理槽ユニット１５は、発色現像処理液を貯留する発色現像槽１５ａと、漂白定着処理液を貯留する漂白定着槽１５ｂと、安定処理液を貯留する安定槽１５ｃを備えている。完成した写真プリントＰは、プロセッサ部５の上部の横送りコンベア１６によってソータ１７の複数のトレイにオーダ単位で仕分けられた状態で集積される（図１参照）。
【００２０】
プリンタ部４には、印画紙マガジン１１から引き出された印画紙Ｐを、印画紙Ｐに対する前述した各種処理に合わせた搬送速度で搬送するための印画紙搬送機構１８が敷設されている。印画紙搬送機構１８は、多数の挟持搬送ローラ対、及び、印画紙搬送方向に関してプリント露光部１４の前後に配置された２つのチャッカー式印画紙搬送ユニット１８ａ，１８ｂから構成されている。
ここで、印画紙マガジン１１からシートカッタ１２までの搬送経路について詳しく解説する。
【００２１】
上段に位置する第１マガジン１１ａから送り出された印画紙Ｐは、上下に延びた第１導入経路３０ａに沿って真下に向けて搬送され、他方、下段に位置する第２マガジン１１ｂから送り出された印画紙Ｐは、水平に延びた第２導入経路３０ｂに沿って左向きに搬送される。第１導入経路３０ａと第２導入経路３０ｂとが直角に邂逅する位置には、モータ（不図示）によって回転駆動されるアドバンスローラ３１（駆動ローラの一例）と印画紙Ｐをアドバンスローラ３１の周面に押付ける一対の圧着ローラ３２とが設けられている。アドバンスローラ３１の下流側には、斜め上方に延びた１本の第３導入経路３０ｃが設けられており、第１導入経路３０ａを介して搬送された第１マガジン１１ａの印画紙Ｐと第２導入経路３０ｂを介して搬送された第２マガジン１１ｂの印画紙Ｐとはいずれもアドバンスローラ３１によってこの共通の第３導入経路３０ｃに送り込まれ、シートカッタ１２へと向かう。
【００２２】
ところで、アドバンスローラ３１、圧着ローラ３２、シートカッタ１２、バックプリント部１３、並びに、上流側の第１のチャッカー式印画紙搬送ユニット１８ａは、プリンタ部４の筐体状のキャビネット４ｂ内の上下に設けられた一対のスライドレールＲ１、Ｒ２の上に摺動自在に支持された一つの露光前搬送ユニットＴＵを構成しており、図３に示すように、メンテナンス時にはこの搬送ユニットＴＵを、手前側に長く伸張可能なスライドレールＲ１、Ｒ２の上に支持させたまま、キャビネット４ｂから手前側に略水平に引き出すことができる。
したがって、第１マガジン１１ａから送り出された印画紙Ｐの先端部がアドバンスローラ３１とシートカッタ１２の間でジャミングを起こした場合には、アドバンスローラ３１による印画紙Ｐの搬送を中止して、既に露光済みの印画紙Ｐがある場合はこれがプロセッサ部５に送り込まれた後に、プリンタ部４のフロントドア４ａを開放して、第１導入経路３０ａを構成する上下の印画紙ガイドの間に設けられた間隙Ｑ１（図４を参照）に、長い板状の本体の先端に刃が付けられた印画紙カッタ（不図示）を挿入して一番奥まで押し込み、再び抜き出せば良い。これによって印画紙Ｐは間隙Ｑ１を境にして完全に上下に切り離されるので、露光前搬送ユニットＴＵを手前側に引き出すことが可能になる。同様に、第２マガジン１１ｂから送り出された印画紙Ｐの先端部がアドバンスローラ３１とシートカッタ１２の間でジャミングを起こした場合にも、アドバンスローラ３１による印画紙Ｐの搬送を中止して、既に露光済みの印画紙Ｐがある場合はこれがプロセッサ部５に送り込まれた後に、プリンタ部４のフロントドア４ａを開放して、第２導入経路３０ｂを構成する上下の印画紙ガイドの間に設けられた間隙Ｑ２（図４を参照）に、印画紙カッタ（不図示）を挿入して一番奥まで押し込み、再び抜き出せば、印画紙Ｐは間隙Ｑ１を境にして完全に上下に切り離されるので、露光前搬送ユニットＴＵを手前側に引き出すことが可能になる。
【００２３】
そして、アドバンスローラ３１の付近でジャミングが起きている場合には、露光前搬送ユニットＴＵを手前側に引き出した状態で、圧着ローラ３２を開放することによってジャミングした印画紙Ｐを除去することができる。このために、圧着ローラ３２は、アドバンスローラ３１に押付けられた状態と、アドバンスローラ３１から引き離された状態との間で簡単に切り換えできるように構成されている。
【００２４】
より具体的には、図４から図８に示すように、圧着ローラ３２はホルダ３３に回転自在に支持されており、このホルダ３３は揺動ブラケット３５に支持されている。より詳しくは、図５から図７に示すように、ホルダ３３の背面に軸部材３４が立設されており、この軸部材３４が揺動ブラケット３５の貫通孔に挿通され、軸部材３４の先端には揺動ブラケット３５に対する抜け止めのためのＥリング３４ａが取り付けられている。また、軸部材３４の揺動ブラケット３５とホルダ３３との間には圧縮バネ３６が外嵌されており、ホルダ３３を揺動ブラケット３５から離間させるように付勢している。このため、ホルダ３３は揺動ブラケット３５に対して軸部材３４周りで若干の回動が可能になっている。
【００２５】
また、揺動ブラケット３５はその一端３５ａにて軸部材などによって露光前搬送ユニットＴＵ上のほぼ水平な第１軸芯Ｘ１に枢支されている。揺動ブラケット３５の他端３５ｂ付近における印画紙Ｐの幅方向の両端には、一対のアーム部材３７がほぼ水平な第２軸芯Ｘ２周りで揺動自在に支持されている。図８に示すように、一対のアーム部材３７どうしは印画紙Ｐの幅方向に延びた板状部材３７Ｆによって一体的に連結されている。各アーム部材３７の遊端には爪状のフック部３７ａが形成されている。また、第２軸芯Ｘ２付近には、フック部３７ａをフック部３７ａの遊端が揺動ブラケット３５の一端３５ａ側に近付く方向に揺動付勢する捻りコイルバネ３８が取り付けられている。尚、露光前搬送ユニットＴＵにおける印画紙Ｐの幅方向の両端には、フック部３７ａを係止するための一対の係止ピン４０（係止部材の一例）が固定されている（図８も参照のこと）。さらに、図５と図８に示すように、板状部材３７Ｆの印画紙Ｐの幅方向における中央には第１摘み部３７Ｇ（摘み部の一例）が設けられ、揺動ブラケット３５の印画紙Ｐの幅方向における中央には第１摘み部３７Ｇと対向するように第２摘み部３５Ｇ（補助摘み部の一例）が設けられている。
【００２６】
そこで、図７に矢印で示すように、オペレータがいわゆる事務用クリップなどを開き操作する要領で、第１摘み部３７Ｇと第２摘み部３５Ｇとを片方の手で握ることで両部材を近づけると、一対のアーム部材３７が同時に揺動操作されるので、フック部３７ａを係止ピン４０に係止（図７に実線で示す）させたり、係止解除（図７に二点鎖線で示す）させることができる。フック部３７ａを係止ピン４０に係止させて手を離せば、係止ピン４０がフック部３７ａの切り欠き部３７ｂに受け入れられ、揺動ブラケット３５は圧着ローラ３２がアドバンスローラ３１に押付けれた圧着姿勢に固定される（図５の状態）。次に、フック部３７ａを係止ピン４０から係止解除させた後、第１摘み部３７Ｇと第２摘み部３５Ｇとを持った手で揺動ブラケット３５を下方に引き下げれば、圧着ローラ３２がアドバンスローラ３１から離間した状態（図６の状態）が得られ、この付近にジャミングした印画紙Ｐを矢印の方向に引っ張ることなどで除去できる。
従って、一対のアーム部材３７とアーム部材３７の遊端部に形成されたフック部３７ａを係止するための係止ピン４０とは、揺動ブラケット３５を圧着ローラ３２がアドバンスローラ３１に押付けられた圧着姿勢に固定するロック機構を構成している。
【００２７】
また、フック部３７ａの切り欠き部３７ｂよりも第２軸芯Ｘ２を中心とする径方向外側には係止ピン４０に対する一種のカム面として働く傾斜面３７ｃが設けられている。そこで、フック部３７ａを係止ピン４０から係止解除され、揺動ブラケット３５が下方に下がった状態から、図８に示すように、オペレータが揺動ブラケット３５の任意の箇所を持って持ち上げ、アドバンスローラ３１或いは係止ピン４０に近付けて行くと、先ず傾斜面３７ｃが係止ピン４０にと接当し、引き続き揺動ブラケット３５を押し上げると、係止ピン４０が傾斜面３７ｃの上を滑りながら移動する操作と同時にアーム部材３７が捻りコイルバネ３８による揺動付勢の方向と逆方向に揺動操作され、遂に係止ピン４０が傾斜面３７ｃを乗り越えると、最終的に係止ピン４０が切り欠き部３７ｂに進入することで、ロック操作が完了する。従って、この傾斜面３７ｃを利用することによって、第１摘み部３７Ｇと第２摘み部３５Ｇを握る操作なしでロック操作が遂行される。尚、第１軸芯Ｘ１からフック部３７ａまでの距離が第１軸芯Ｘ１から圧着ローラ３２までの距離を大きく上回るように構成されているので、この傾斜面３７ｃを利用したロック操作は比較的小さな労力で行うことができる。
【００２８】
図４と図８に示すように、露光前搬送ユニットＴＵは、アドバンスローラ３１および圧着ローラ３２などを印画紙Ｐの幅方向の側面から包囲する一対の側板４２を含み、各係止ピン４０はこれらの側板４２の内面側に固定されている。そして、側板４２には、アーム部材３７が正常な係止姿勢にある時にのみオペレータがこれを観察することのできる丸い確認窓４３が形成されている。アーム部材３７が正常な係止姿勢にある時にはアーム部材３７が丸い確認窓４３のほぼ半分を塞ぐ形となる。
【００２９】
フック部３７ａが係止ピン４０から係止解除されており、且つ、オペレータが手放しの状況では、図６に示すように、揺動ブラケット３５はその自重および重心位置の第１軸芯Ｘ１からの変位量に基づいて、下方に垂れ下がったフリー姿勢を取るが、このフリー姿勢では、揺動ブラケット３５の一部および第１摘み部３７Ｇが露光前搬送ユニットＴＵの底面から更に下方に突出した状態となるように構成されている。この状態で露光前搬送ユニットＴＵをプリンタ部４の本体の初期の位置に収納しようとすると、プリンタ部４の本体側の一部（実際にはプリンタ部４内の発熱部を冷却するためのダクトのダクトカバー４ｃ）と衝突してしまい、収納ができないように構成されている。これは、オペレータが圧着ローラ３２をアドバンスローラ３１に押付けられた状態でロックさせることなく露光前搬送ユニットＴＵを収納してしまうミスを防止するためのフェールセーフ機構として機能する。
【図面の簡単な説明】
【００３０】
【図１】写真処理システムの概略斜視図
【図２】プリントステーションの構成を示す概略正面図
【図３】露光前搬送ユニットが引き出されたプリンタ部を示す斜視図
【図４】第１と第２導入経路およびアドバンスローラの付近を示す斜視図
【図５】圧着姿勢におけるアドバンスローラおよび圧着ローラを示す正面図
【図６】圧着解除姿勢におけるアドバンスローラおよび圧着ローラを示す正面図
【図７】第１摘み部と第２摘み部との近接操作による作用を示す正面図
【図８】フック部の傾斜面による作用を示す正面図
【図９】圧着姿勢におけるアドバンスローラおよび圧着ローラを示す側面図
【符号の説明】
【００３１】
Ｐ  印画紙
１Ａ  操作ステーション
１Ｂ  プリントステーション
４  プリンタ部（写真プリンタ、露光操作部）
５  プロセッサ部
１１  印画紙マガジン（印画紙格納部）
１８  搬送機構
３０ａ  第１導入経路
３０ｂ  第２導入経路
３１  アドバンスローラ（駆動ローラ）
３２  圧着ローラ
３３  ホルダ
３５  揺動ブラケット
Ｘ１  第１軸芯
３５Ｇ  第２摘み部（補助摘み部）
３７  アーム部材
Ｘ２  第２軸芯
３７ａ  フック部
３７ｂ  切り欠き部
３７ｃ  傾斜面
３７Ｇ  第１摘み部（摘み部）
３８  捻りコイルバネ（付勢部材）
４０  係止ピン（係止部材）
４２  側板
４３  確認窓
Ｒ１、Ｒ２  スライドレール
ＴＵ  露光前搬送ユニット
【図１】
2005219915.tif 000003
【図２】
2005219915.tif 000004
【図３】
2005219915.tif 000005
【図４】
2005219915.tif 000006
【図５】
2005219915.tif 000007
【図６】
2005219915.tif 000008
【図７】
2005219915.tif 000009
【図８】
2005219915.tif 000010
【図９】
2005219915.tif 000011